(57)【要約】      （修正有）【課題】第１及び第２脚体を引出し体に接触することなく折畳むことのできる折畳み机を提供する。【解決手段】天板１、天板の板裏面１Ｂに配置される第１及び第２引出し体２、３、及び天板の板裏面に配置される第１及び第２脚体５、６を備える。第１脚体は、天板支持位置及び折畳み位置との間で回転される第１脚柱３１、及び第１脚柱の第１脚柱端に配置される第１脚座３３を有する。第２脚体は、天板支持位置及び折畳み位置との間で回転される第２脚柱３８、及び第２脚柱の第２脚柱端に配置される第２脚座３９を有する。第１及び第２脚柱、第１及び第２脚座３２は、第１及び第２脚柱の折畳み位置において、第１及び第２引出し体に接触することなく、天板の板裏面側に折畳まれる。【選択図】図１９
0003234025.tif 000002
【実用新案登録請求の範囲】
【請求項１】
矩形板状に形成され、板厚さ方向の板表面及び板裏面を有する天板と、
前記板裏面に配置され、前記天板の短手方向の一方の板端縁から引出し可能な引出しを有する引出し体と、
第１脚柱及び第１脚座を有し、前記天板の長手方向の一方の板端縁側の前記板裏面に配置され、前記天板を支持する第１脚と、
第２脚柱及び第２脚座を有し、前記天板の前記長手方向の他方の板端縁側の前記板裏面に配置され、前記天板を支持する第２脚と、を備え、
前記引出し体は、
前記天板の前記短手方向の他方の板端縁に対し前記短手方向に短手間隔を隔てて配置され、
前記天板の前記長手方向の長手中心に対し前記長手方向の一方の板端縁側に第１間隔を隔てる引出し位置から前記長手方向の一方の板端縁側に配置され、
前記第１脚柱は、
前記引出し体に対し前記短手方向に隙間を隔てて、前記引出し体及び前記短手方向の他方の板端縁の間に配置され、
前記長手中心に対し前記長手方向の一方の板端縁側に前記第１間隔より長い第２間隔を隔てる脚位置において、一方の第１脚柱端側を前記天板に軸支し、前記短手方向を回転中心として、前記板裏面に直交する天板支持位置、及び前記天板支持位置に対し前記板裏面側に角度９０度を隔てる折畳み位置との間で回転され、
前記第１脚座は、
前記第１脚柱の他方の第１脚柱端に配置され、前記第１脚柱に直交して前記短手方向の一方の板端縁側に延在され、
前記第１脚柱の前記折畳み位置において、前記引出し体に接触することなく、前記長手中心及び前記引出し位置の間に配置され、
前記第２脚柱は、
前記長手中心に対し前記長手方向の他方の板端縁側に前記第２間隔を隔てる脚位置において、一方の第２脚柱端側を前記天板に軸支し、前記短手方向を回転中心として、前記板裏面に直交する天板支持位置、及び前記天板支持位置に対し前記板裏面側に角度９０度を隔てる折畳み位置との間で回転され、
前記第２脚座は、
前記第２脚柱の他方の第２脚柱端に配置され、前記第２脚柱に直交して前記短手方向の一方の板端縁側に延在され、
前記第２脚柱の前記折畳み位置において、前記第１脚座に接触することなく、前記長手中心より前記長手方向の他方の板端縁側に配置され、
前記第１脚は、
前記第１脚柱の回転中心及び前記第１脚座の間の第１脚長さを有し、
前記第２脚は、
前記第１脚長さと同一長さであって、前記第２脚柱の回転中心及び前記第２脚座の間の第２脚長さを有する
ことを特徴とする折畳み机。
【考案の詳細な説明】
【技術分野】
【０００１】
本考案は、引出し体（引出し）を備える折畳み机に関する。
【背景技術】
【０００２】
折畳み机の技術として、特許文献１は、折畳みテーブルを開示する。折畳みテーブルは、矩形状のテーブル板、一対の脚、及び一対のステーを備える。各脚は、テーブル板の板裏面に配置される。各脚は、テーブル板の長手方向の各板端側にてテーブル板に回転可能に軸支される。各ステーは、各脚及びテーブル板の間に配置され、各脚及びテーブル板に回転可能に軸支される。各脚は、テーブル板の板裏面に直交する第１位置、及び第１位置に対し板裏面側に角度９０度を隔てる第２位置との間で回転されて、第２位置において、テーブル板の板裏面に折畳まれる。
【先行技術文献】
【特許文献】
【０００３】
【特許文献１】実用新案登録第３２２１８０１号公報
【考案の概要】
【考案が解決しようとする課題】
【０００４】
特許文献１では、テーブル板の板裏面において各脚の間に引出しを設けると、各脚を折畳む際に、引出しに接触して、各脚をテーブル板の板裏面に折畳むことができない。
【０００５】
本考案は、第１及び第２脚体を引出し体に接触することなく、折畳むことのできる折畳み机を提供することにある。
【課題を解決するための手段】
【０００６】
本考案に係る折畳み机は、矩形板状に形成され、板厚さ方向の板表面及び板裏面を有する天板と、前記板裏面に配置され、前記天板の短手方向の一方の板端縁から引出し可能な引出しを有する引出し体と、第１脚柱及び第１脚座を有し、前記天板の長手方向の一方の板端縁側の前記板裏面に配置され、前記天板を支持する第１脚と、第２脚柱及び第２脚座を有し、前記天板の前記長手方向の他方の板端縁側の前記板裏面に配置され、前記天板を支持する第２脚と、を備え、前記引出し体は、前記天板の前記短手方向の他方の板端縁に対し前記短手方向に短手間隔を隔てて配置され、前記天板の前記長手方向の長手中心に対し前記長手方向の一方の板端縁側に第１間隔を隔てる引出し位置から前記長手方向の一方の板端縁側に配置され、前記第１脚柱は、前記引出し体に対し前記短手方向に隙間を隔てて、前記引出し体及び前記短手方向の他方の板端縁の間に配置され、前記長手中心に対し前記長手方向の一方の板端縁側に前記第１間隔より長い第２間隔を隔てる脚位置において、一方の第１脚柱端側を前記天板に軸支し、前記短手方向を回転中心として、前記板裏面に直交する天板支持位置、及び前記天板支持位置に対し前記板裏面側に角度９０度を隔てる折畳み位置との間で回転され、前記第１脚座は、前記第１脚柱の他方の第１脚柱端に配置され、前記第１脚柱に直交して前記短手方向の一方の板端縁側に延在され、前記第１脚柱の前記折畳み位置において、前記引出し体に接触することなく、前記長手中心及び前記引出し位置の間に配置され、前記第２脚柱は、前記長手中心に対し前記長手方向の他方の板端縁側に前記第２間隔を隔てる脚位置において、一方の第２脚柱端側を前記天板に軸支し、前記短手方向を回転中心として、前記板裏面に直交する天板支持位置、及び前記天板支持位置に対し前記板裏面側に角度９０度を隔てる折畳み位置との間で回転され、前記第２脚座は、前記第２脚柱の他方の第２脚柱端に配置され、前記第２脚柱に直交して前記短手方向の一方の板端縁側に延在され、前記第２脚柱の前記折畳み位置において、前記第１脚座に接触することなく、前記長手中心より前記長手方向の他方の板端縁側に配置され、前記第１脚は、前記第１脚柱の回転中心及び前記第１脚座の間の第１脚長さを有し、前記第２脚は、前記第１脚長さと同一長さであって、前記第２脚柱の回転中心及び前記第２脚座の間の第２脚長さを有することを特徴とする。
本考案では、第１脚は、引出し位置及び脚位置の間の第３間隔より長く、第２間隔より短い、第１脚柱の回転中心及び第１脚座の間の第１脚長さを有する構成も採用できる。
【考案の効果】
【０００７】
本考案によれば、第１及び第２脚体は、第及び第２脚柱、第１及び第２脚座を引出し体（引出し）に接触することなく、折畳むことができる。
【図面の簡単な説明】
【０００８】
【図１】折畳み机を示す上方から見た斜視図である（天板支持位置）。
【図２】折畳み机を示す下方から見た斜視図である（天板支持位置）。
【図３】折畳み机の正面図である（天板支持位置）。
【図４】折畳み机の背面図である（天板支持位置）。
【図５】折畳み机の平面図（上面図）である（天板支持位置）。
【図６】折畳み机の底面図（下面図）である（天板支持位置）。
【図７】折畳み机の右側面図である（天板支持位置）。
【図８】折畳み机の左側面図である（天板支持位置）。
【図９】図３のＡ−Ａ断面拡大図である。
【図１０】図３のＢ−Ｂ断面拡大図である。
【図１１】図５のＥ−Ｅ断面図である。
【図１２】図３のＣ部分拡大図である。
【図１３】図９のＦ部分拡大図である。
【図１４】図１１のＨ部分拡大図である。
【図１５】図３のＤ部分拡大図である。
【図１６】図９のＧ部分拡大図である。
【図１７】図１１のＩ部分拡大図である。
【図１８】折畳み机を示す正面図であって、第１及び第２脚柱を折畳み位置に配置した図である。
【図１９】折畳み机を示す底面図（下面図）であって、第１及び第２脚柱を折畳み位置に配置した図である。
【図２０】折畳み机を示す背面図であって、第１及び第２脚柱を折畳み位置に配置した図である。
【図２１】図１９のＪ−Ｊ断面図である。
【図２２】（ａ）は、図２２のＫ部分拡大図、（ｂ）は、図２２のＬ部分拡大図である。
【考案を実施するための形態】
【０００９】
本考案に係る折畳み机について、図１乃至図２２を参照して説明する。
【００１０】
図１乃至図２２において、折畳み机Ｘは、天板１、複数の引出し体２，３（第１及び第２引出し体２，３／第１及び第２収納体）、枠体４、第１脚体５、第２脚体６、及び複数のステー装置７，８（第１及び第２ステー装置７，８）を備える。
【００１１】
天板１は、図１乃至図１１に示すように、矩形板状に形成される。天板１は、天板１の板厚さ方向Ｔに板厚さＴ１、天板１の短手方向Ｓ（板幅方向）に板幅Ｓ１、及び天板１の長手方向Ｌ（板長さ方向）に板長さＬ１を有する。
【００１２】
天板１は、図１乃至図１１に示すように、板厚さ方向Ｔの板表面１Ａ（板表平面）及び板裏面１Ｂ（板裏平面）を有する。板表面１Ａ及び板裏面１Ｂは、板厚さ方向Ｔにおいて、互いに平行して配置される。板裏面１Ｂは、板厚さ方向Ｔにおいて、板表面１Ａに対し板厚さＴ１を隔てて、板表面１Ａに平行に配置される。
【００１３】
第１引出し体２（引出し体）は、図１乃至図７、及び図９に示すように、天板１の板裏面１Ｂに配置されて、天板１に取付けられる。第１引出し体２（第１収納体）は、天板１の短手方向Ｓの他方の板端縁Ｓｂに対し短手方向Ｓに短手間隔δ１を隔てて配置される。
【００１４】
第１引出し体２は、図４及び図６に示すように、天板１の長手方向Ｌ（以下、「長手方向Ｌ」という）において、天板１の長手方向Ｌの長手中心Ｌｘ（以下、「長手中心Ｌｘ」という）に対し長手方向Ｌの一方の板端縁Ｌａ側に第１間隔ε１を隔てる第１の引出し位置Ｐ１（引出し位置）、及び長手方向Ｌの一方の板端縁Ｌａの間に配置される。長手中心Ｌｘは、長手方向Ｌにおいて、各板端縁Ｌａ，Ｌｂ（一方の板端縁Ｌａ，他方の板端縁Ｌｂ）の間の中心の位置（中心位置／長手中心位置）である。長手中心Ｌｘは、長手方向Ｌにおいて、一方の板端縁Ｌａ（又は他方の板縁端ＬＢ）から板長さＬ１の半分の長さ（二分の１の長さに位置する。
第１引出し体２は、図４及び図６に示すように、長手方向Ｌにおいて、第１の引出し位置Ｐ１（第１引出し位置）から長手方向Ｌの一方の板縁端Ｌａ側に配置される。
【００１５】
第１引出し体２は、図２乃至図７，及び図９に示すように、一対の案内レール１２，１３（第１及び第２案内レール１２，１３）、及び天板１の短手方向Ｓの一方の板縁端Ｓａから引出し可能な第１引出し１４（引出し）を有する。
【００１６】
第１及び第２案内レール１２，１３は、図４及び図６に示すように、長手方向Ｌにおいて、第１引出し位置Ｐ１及び長手方向Ｌの一方の板端縁Ｌａの間に配置される。第１案内レール１２は、第１引出し位置Ｐ１に配置される。第２案内レール１３は、図３に示すように、長手方向Ｌにおいて、第１案内レール１２に対しレール間隔σ１を隔てて、長手方向Ｌの一方の板端縁Ｌａ側に配置される。第２案内レール１３は、長手方向Ｌにおいて、第１案内レール１２に並設（並列）される。
【００１７】
第１及び第２案内レール１２，１３は、図２乃至図７、及び図９に示すように、天板１の板裏面１Ｂに配置されて、天板１に取付けられる。第１及び第２案内レール１２，１３は、図３に示すように、板厚さ方向Ｔにおいて、天板１の板裏面１Ｂに対し案内間隔σ２を隔てて、天板１の板裏面１Ｂに取付けられる。
第１及び第２案内レール１２，１３は、図２、図５乃至図７、及び図９に示すように、天板１の短手方向Ｓ（以下、「短手方向Ｓ」という）において、短手方向Ｓの一方の板端縁Ｓａから他方の板端縁Ｓｂ側に延在される。第１及び第２案内レール１２，１３は、互いに平行して短手方向Ｓに延在される。第１及び第２案内レール１２，１３は、図６、図７及び図１０に示すように、短手方向Ｓにおいて、短手方向Ｓの一方の板端縁Ｓａ、及び他方の板端縁Ｓｂに対し短手方向Ｓに短手間隔δ１を隔てる短手位置Ｐ８の間に延在される。
【００１８】
第１引出し１４は、図１及び図２に示すように、例えば、収納凹部を有する引出しトレーであって、天板１の板裏面１Ｂに配置される。第１引出し１４は、図２乃至図６に示すように、長手方向Ｌにおいて、第１及び第２案内レール１２，１３の間に配置される。第１引出し１４は、第１及び第２案内レール１２，１３と、天板１の板裏面１Ｂ（案内間隔σ２）に挿入されて、第１及び第２案内レール１２，１３に載置される。第１引出し１４は、短手方向Ｓの一方の板端縁Ｓａから第１及び第２案内レール１２，１３と板裏面１Ｂの間に挿入されて、天板１の内側に収納される。第１引出し１４は、板厚さ方向Ｔにおいて、天板１の板裏面１Ｂに隙間を隔てて第１及び第２案内レール１２，１３に載置される。
これにより、第１引出し１４は、第１及び第２案内レール１２，１３にて短手方向Ｓに案内されて、第１及び第２案内レール１２，１３に摺動自在に載置される。
第１引出し１４は、短手方向Ｓにおいて、第１及び第２案内レール１２，１３を摺動することで、短手方向Ｓの一方の板端縁Ｓａから引出され、及び天板１の板裏面１Ｂに対向（対峙）する位置に戻される。
【００１９】
第２引出し体３は（引出し体）は、図１乃至図６、図８及び図１０に示すように、天板１の板裏面１Ｂに配置されて、天板１に取付けられる。第２引出し体３（第２収納体）は、天板１の短手方向Ｓの他方の板端縁Ｓｂに対し短手方向Ｓに短手間隔δ１を隔てて配置される。
【００２０】
第２引出し体３は、図４及び図６に示すように、長手方向Ｌにおいて、長手中心Ｌｘに対し長手方向Ｌの他方の板端縁Ｌｂ側に第１間隔ε１を隔てる第２の引出し位置Ｐ２（引出し位置）、及び長手方向Ｌの他方の板端縁Ｌｂの間に配置される。
第２引出し体３は、図４及び図６に示すように、長手方向Ｌにおいて、第２の引出し位置Ｐ２（第２引出し位置）から長手方向Ｌの他方の板端縁Ｌｂ側に配置される。
これにより、第２引出し体３は、長手方向Ｌにおいて、第１引出し体２に並設（並列）される。
【００２１】
第２引出し体３は、図１乃至図６、図８及び図１０に示すように、一対の案内レール１６，１７（第３及び第４案内レール１６，１７）、及び天板１の短手方向Ｓの一方の板端縁Ｓａから引出し可能な第２引出し１８（引出し）を有する。
【００２２】
第３及び第４案内レール１６，１７は、図４及び図６に示すように、長手方向Ｌにおいて、第２引出し位置Ｐ２及び長手方向Ｌの他方の板端縁Ｌｂの間に配置される。第３案内レール１６は、第２引出し位置Ｐ２に配置される。第４案内レール１７は、図３に示すように、長手方向Ｌにおいて、第３案内レール１６に対しレール間隔σ１を隔て、長手方向Ｌの他方の板端縁Ｌｂ側に配置される。第４案内レール１７は、長手方向Ｌにおいて、第３案内レール１６に並設（並列）される。
【００２３】
第３及び第４案内レール１６，１７は、図２乃至図６、図８及び図１０に示すように、天板１の板裏面１Ｂに配置されて、天板１に取付けられる。第３及び第４案内レール１６，１７は、図３に示すように、板厚さ方向Ｔにおいて、天板１の板裏面１Ｂに対し案内間隔σ２を隔てて、天板１の板裏面１Ｂに取付けられる。
第３及び第４案内レール１６，１７は、図２、図５、図６、図８及び図１０に示すように、短手方向Ｓにおいて、短手方向Ｓの一方の板端縁Ｓａから他方の板端縁Ｓｂ側に延在される。第３及び第４案内レール１６，１７は、互いに平行して短手方向Ｓに延在される。第３及び第４案内レール１６，１７は、図６、図８及び図１０に示すように、短手方向Ｓにおいて、短手方向Ｓの一方の板端縁Ｓａ、及び短手位置Ｐ８の間に延在される。
【００２４】
第２引出し１８は、図１及び図２に示すように、例えば、収納凹部を有する引出しトレーであって、天板１の板裏面１Ｂに配置される。第２引出し１８は、図２乃至図６に示すように、長手方向Ｌにおいて、第３及び第４案内レール１６，１７の間に配置される。第２引出し１８は、第３及び第４案内レール１６，１７と、天板１の板裏面１Ｂ（案内隙間σ２）に挿入されて、第３及び第４案内レール１６，１７に載置される。第２引出し１８は、短手方向Ｓの一方の板端縁Ｓａから第３及び第４案内レール１６，１７と板裏面１Ｂの間に挿入されて、天板１の内側に収納される。第２引出し１８は、板厚さ方向Ｔにおいて、天板１の板裏面１Ｂに隙間を隔てて第３及び第４案内レール１６，１７に載置される。
これにより、第２引出し１８は、第３及び第４案内レール１６，１７にて短手方向Ｓに案内されて、第３及び第４案内レール１６，１７に摺動自在に載置される。
第２引出し１８は、短手方向Ｓにおいて、第３及び第４案内レール１６，１７を摺動することで、短手方向Ｓの一方の板端縁Ｓａから引出され、及び天板１の板裏面１Ｂに対向（対峙）する位置に戻される。
【００２５】
枠体４は、図２乃至図１１に示すように、天板１の板裏面１Ｂに配置されて、天板１に取付けられる。枠体４は、短手方向Ｓにおいて、第１及び第２引出し体２，３と、短手方向Ｓの他方の板端縁Ｓｂの間（短手間隔δ１）の間に配置される。枠体４は、図６乃至図８に示すように、短手方向Ｓにおいて、第１及び第２引出し体２，３（第１乃至第４案内レール１２，１３，１６，１７）に対し隙間δ２を隔てて配置される。
【００２６】
枠体４は、図２乃至図８、及び図１１に示すように、一対の横枠材２１，２２（第１及び第２横枠材２１，２２）及び一対の縦枠材２３，２４（第１及び第２縦枠材２３，２４）を有する。各枠材２１，２２，２３，２４は、正方形（断面正方形）の筒体に形成される。各枠材２１，２２，２３，２４は、天板１の板裏面１Ｂに配置されて、天板１に取付けられる。
【００２７】
第１横枠材２１は、図６に示すように、短手方向Ｓにおいて、第１及び第２引出し体２，３（第１乃至第４案内レール１２，１３，１６，１７）に隙間δ２を隔てて、短手方向Ｓの各板端縁Ｓａ，Ｓｂに平行して配置される。第１横枠材２１は、長手方向Ｌにおいて、長手方向Ｌの各板端縁Ｌａ，Ｌｂの間に延在して、天板１の板裏面１Ｂに取付けられる。第１横枠材２１は、図５及び図６に示すように、各枠筒端を長手方向Ｌの各板端縁Ｌａ，Ｌｂに面一にして配置される。
【００２８】
第２横枠材２２は、図６に示すように、短手方向Ｓにおいて、第１横枠材２１に横枠間隔σ７を隔てて、第１横枠材２１及び短手方向Ｓの他方の板端縁Ｓｂの間に配置される。第２横枠材２２は、長手方向Ｌにおいて、長手方向Ｌの各板端縁Ｌａ，Ｌｂの間に延在される。第２横枠材２２は、第１横枠材２１に平行して長手方向Ｌに延在されて、天板１の板裏面１Ｂに取付けられる。第２横枠材２２は、図６に示すように、各枠筒端を長手方向Ｌの各板端縁Ｌａ，Ｌｂに面一にして配置される。
【００２９】
第１及び第２縦枠材２３，２４は、図２、図５及び図６に示すように、第１及び第２横枠材２１，２２に直交（長手方向Lの各板端縁Ｌａ，Ｌｂに平行）して、第１及び第２横枠材２１，２２の間に配置される。第１及び第２縦枠材２３，２４は、短手方向Ｓに延在して、第１及び第２横枠材２１，２２に固定される。第１及び第２縦枠材２３，２４は、天板１の板裏面１Ｂに取付けられる。
【００３０】
第１縦枠材２３は、図５及び図６に示すように、長手中心Ｌｘ及び長手方向Ｌの一方の板端縁Ｌａの間に配置される。第１縦枠材２３は、長手方向Ｌにおいて、長手中心Ｌｘに対し長手方向Ｌの一方の板端縁Ｌａ側に第１間隔ε１より長い横枠間隔σ８を隔てて、第１及び第２横枠材２１，２２の間に配置される。第１縦枠材２３は、長手方向Ｌにおいて、長手方向Ｌの一方の板端縁Ｌａに対し第１ステー間隔σ９を隔てて配置される。
【００３１】
第２縦枠材２４は、図５及び図６に示すように、長手中心Ｌｘ及び長手方向Ｌの他方の板端縁Ｌｂの間に配置される。第２縦枠材２４は、長手方向Ｌにおいて、長手中心Ｌｘに対し長手方向Ｌの他方の板端縁Ｌｂに縦枠間隔σ８を隔てて、第１及び第２横枠材２１，２２の間に配置される。第２縦枠材２４は、長手方向Ｌにおいて、長手方向Ｌの他方の板端縁Ｌｂに対し第１ステー間隔σ９を隔てて、第１縦枠材２３に平行して配置される。
【００３２】
第１脚体５は、図１乃至図７、及び図９に示すように、天板１の板裏面１Ｂに配置される。第１脚体５は、天板１の板裏面１Ｂに取付けられた枠体４に隣接して配置される。第１脚体５は、長手方向Ｌにおいて、長手方向Ｌの一方の板端縁Ｌａ側に配置されて、枠体４（天板１）に回転可能に軸支される。
第１脚体５は、第１脚柱３１（第１脚柱本体）、及び第１脚座３２を有し、天板１を支持する。
【００３３】
第１脚柱３１は、図６に示すように、第１及び第２引出し体２，３に対し短手方向Ｓに隙間δ２（枠体４と同一隙間）を隔てて、各引出し体２，３及び短手方向Ｓの他方の板端縁Ｓｂの間に配置される。
【００３４】
第１脚柱３１は、図６に示すように、長手方向Ｌにおいて、長手中心Ｌｘに対し長手方向Ｌの一方の板端縁Ｌａ側に第１間隔ε１及び縦枠間隔σ８より長い第２間隔ε２を隔てる第１の脚位置Ｐ３（第１脚位置）において、一方の第１脚柱端側（第１及び第２脚柱材３３，３４の一方の脚柱端３３Ａ，３４Ａ側）を枠体４に回転可能に軸支して配置される。第１脚柱３１は、図２乃至図４、及び図７に示すように、長手方向Ｌにおいて、第１縦枠材２３及び長手方向Ｌの一方の板端縁Ｌａの間であって、長手方向Ｌの一方の板端縁Ｌａに隣接する第１脚位置Ｐ３において、一方の第１脚柱端側（一方の脚柱端３３Ａ，３４Ａ側）を枠体４に回転可能に軸支する。
これにより、第１脚柱３１は、枠体４に回転自在に軸支され、枠体４を介在して天板１に回転可能に軸支される。
【００３５】
第１脚柱３１は、図２、及び図１２乃至図１４に示すように、短手方向Ｓを回転中心ＣＰとして、枠体４に軸支され、及び枠体４を介在して天板１に軸支される。
これにより、第１脚柱３１は、短手方向Ｓを回転中心ＣＰとして、天板１の板裏面１Ｂ（板表面１Ａ）に直交する天板支持位置Ｑ１（図１乃至図１１参照）、及び天板支持位置Ｑ１に対し板裏面１Ｂ側に角度９０度を隔てる折畳み位置Ｑ２（図１８乃至図２１参照）との間で回転される。
【００３６】
第１脚柱３１は、図１乃至図７、図９及び図１１に示すように、一対の脚柱材３３，３４（第１及び第２脚柱材３３，３４）、及び第１横梁材３５を有する。第１及び第２脚柱３１，３２、及び第１横梁材３５は、枠体４の各枠材２１，２２，２３，２４と同一形状であって、正方形（断面正方形）の筒体に形成される。
【００３７】
第１及び第２脚柱材３３，３４は、図７に示すように、第１及び第２脚柱材３３，３４の間に横枠間隔σ７（第１及び第２横枠材２１，２２の間の間隔）を隔てて平行に配置される。第１及び第２脚柱材３３，３４は、互いに平行して同一方向に延在される。
【００３８】
第１横梁材３５は、図９に示すように、第１脚柱３１の柱中心線（第１及び第２脚柱材３３，３４）の柱中心線ｅ）の方向において、第１及び第２脚柱材３３，３４の一方の脚柱端３３Ａ，３４Ａ（一方の第１脚柱端）に第２ステー間隔σ１０を隔てて配置される。第１横梁材３５は、図２、図７及び図９に示すように、第１及び第２脚柱材３３，３４の間に配置される。第１横梁材３５は、第１及び第２脚柱材３３，３４の柱中心線ｅと直交して、第１及び第２脚柱材３３，３４の間に延在される。第１横梁材３５は、第１及び第２脚柱材３３，３４に固定される。
【００３９】
第１脚柱３１は、図２乃至図４、図７、図９及び図１１に示すように、板厚さ方向Ｔにおいて、天板１の板裏面１Ｂとの間に枠体４を介在して配置される。第１脚柱３１は、板厚さ方向Ｔにおいて、枠体４に隣接して、枠体４の下方に配置される。
【００４０】
第１脚柱材３３は、図６及び図７に示すように、第１及び第２引出し体２，３（第１乃至第４案内レール１２，１３，１６，１７）に対し短手方向Ｓに隙間δ２を隔てて配置される。第１脚柱材３３は、板厚さ方向Ｔにおいて、天板１の板裏面１Ｂとの間に第１横枠材２１を介在して、第１横枠材２１の下方に配置される。第１脚柱材３３は、板厚さ方向Ｔにおいて、第１横枠材２１に隣接して並設される。
【００４１】
第２脚柱材３４は、図６及び図７に示すように、板厚さ方向Ｔにおいて、天板１の板裏面１Ｂとの間に第２横枠材２２を介在して、第２横枠材の下方に配置される。第２脚柱材３４は、板厚さ方向Ｔにおいて、第２横枠材２２に隣接して並設される。
【００４２】
第１及び第２脚柱材３３，３４は、図７、及び図１２乃至図１４に示すように、第１脚位置Ｐ３において、一方の脚柱端３３Ａ，３４Ａ側（一方の第１脚柱端側）を、枠体４の第１及び第２横枠材２１，２２に回転可能に軸支して配置される。第１脚柱材３３は、第１横枠材２１に回転可能に軸支され、第２脚柱材３４は、第２横枠材２２に回転可能に軸支される。
第１及び第２脚柱材３３，３４は、短手方向Ｓを回転中心ＣＬとして、第１及び第２横枠材２１，２２に軸支される。
第１及び第２脚柱材３３，３４は、第１及び第２横枠材２１，２２を介在して、天板１に回転可能に軸支される。
これにより、第１及び第２脚柱材３３，３４は、天板支持位置Ｑ１（図１乃至図１１参照９と、折畳み位置Ｑ２（図１８乃至図２１参照）との間で回転される。
【００４３】
第１脚座３２は、図１乃至４、図７及び図１０に示すように、第１脚柱３１の他方の第１脚柱端（第１及び第２脚柱材３３，３４の他方の脚柱端３３Ｂ，３４Ｂ）に配置される。第１脚座３２は、第１脚柱３１に固定される。第１脚座３２は、第１及び第２脚柱材３３，３４の他方の脚柱端３３Ｂ，３４Ｂに配置されて、第１及び第２脚柱材３３，３４に固定される。
【００４４】
第１脚座３２は、図１乃至図７、図９及び図１１に示すように、第１脚柱３１に直交して短手方向Ｓの一方の板端縁Ｓａ側に延在される。第１脚座３２は、第１及び第２脚柱材３３，３４に直交して短手方向Ｓの一方の板端縁Ｓａ側に延在される。第１脚座３２は、短手方向Ｓにおいて、例えば、第１脚柱３１（第１脚柱材３３）から短手方向Ｓの一方の板端縁Ｓａまで延在される。
【００４５】
第１脚体５は、図７に示すように、第１脚柱３１の柱中心線（第１及び第２脚柱材３３，３４）の柱中心線ｅの方向において、第１脚柱３１（第１及び第２脚柱材３３，３４）の回転中心ＣＬ及び第１脚柱３１の他方の第１脚柱端（第１及び第２脚柱材３３，３４の他方の脚柱端３３Ｂ，３４Ｂ）の間の部分脚長さＫ１を有し、部分脚長さＫ１を第１引出し位置Ｐ１及び第１脚位置Ｐ３の間の第３間隔ε３より長くする。第１脚体５は、図７に示すように、第１脚柱３１の柱中心線の方向（第１及び第２脚柱材３３，３４の柱中心線ｅの方向）において、第１脚柱３１の回転中心ＣＬ（第１及び第２脚柱材３３，３４の回転中心ＣＬ）及び第１脚座３２側の第１脚端５Ａの間の第１脚長さＫ２を有し、第１脚長さＫ２を第２間隔ε２より短くする。
これにより、第１脚座３２は、第１脚柱３１の折畳み位置Ｑ２（第１脚柱３１を折畳み位置Ｑ２に配置した状態）において、第１引出し体２（第１案内レール１２）に接触することなく、長手中心Ｌｘ及び第１引出し位置Ｐ１の間に配置される。
【００４６】
第２脚体６は、図１乃至図６、図８及び図１０に示すように、天板１の板裏面１Ｂに配置される。第２脚体６は、天板１の板裏面１Ｂに取付けられた枠体４に隣接して配置される。第２脚体６は、長手方向Ｌにおいて、長手方向Ｌの他方の板端縁Ｌｂ側に配置されて、枠体４（天板１）に回転可能に軸支される。
第２脚体６は、第２脚柱３８（第２脚柱本体）、及び第２脚座３９を有し、天板１を支持する。
【００４７】
第２脚柱３８は、図６に示すように、第１及び第２引出し体２，３に対し短手方向Ｓに隙間δ２（枠体４と同一隙間）を隔てて、各引出し体２，３及び短手方向Ｓの他方の板端縁Ｓｂの間に配置される。
【００４８】
第２脚柱３８は、図６に示すよう、長手方向Ｌにおいて、長手中心Ｌｘに対し長手方向Ｌの他方の板端縁Ｌｂ側に第２間隔ε２を隔てる第２の脚位置Ｐ４（第２脚位置）において、一方の第２脚柱端側（第３及び第４脚柱材４０，４１の一方の脚柱端４０Ａ，４１Ａ側）を枠体４に回転可能に軸支して配置される。第２脚柱３８は、図１乃至図４、及び図８に示すように、長手方向Ｌにおいて、第２縦枠材２４及び長手方向Ｌの他方の板端縁Ｌｂの間であって、長手方向Ｌの他方の板端縁Ｌｂに隣接する第２脚位置Ｐ４において、一方の脚柱端４０Ａ，４１Ａ側を枠体４に回転可能に軸支する。
これにより、第２脚柱３８は、枠体４に回転可能に軸支され、枠体４を介在して天板１に回転可能に軸支される。
【００４９】
第２脚柱３８は、図８、及び図１５乃至図１７に示すように、短手方向Ｓを回転中心ＣＬとして、枠体４に軸支され、及び枠体４を介在して天板１に軸支される。
これにより、第２脚柱３８は、短手方向Ｓを回転中心ＣＬとして、天板１の板裏面１Ｂ（板表面１Ａ）に直交する天板支持位置Ｑ１、及び天板支持位置Ｑ１に対し板裏面１Ｂ側に角度９０度を隔てる折畳み位置Ｑ２との間で回転される。
【００５０】
第２脚柱３８は、図１乃至図６，図８及び図１０に示すように、一対の脚柱材４０，４１（第３及び第４脚柱材４０，４１）、及び第２横梁材４２を有する。第３及び第４脚柱材４０，４１、及び第２横梁材４２は、枠体４の各枠材２１，２２，２３，２４と同一形状であって、正方形（断面正方形）の筒体に形成される。
【００５１】
第３及び第４脚柱材４０，４１は、図８に示すように、第３及び第４脚柱材４０，４１の間に横枠間隔σ７（第１及び第２横枠材２１，２２の間の間隔）を隔てて平行に配置される。第３及び第３脚柱材４０，４１は、互いに平行して同一方向に延在される。
【００５２】
第２横梁材４２は、図１０に示すように、第２脚柱３８の柱中心線（第１及び第２脚柱材４０，４１）の柱中心線ｅの方向において、第３及び第４脚柱材４０，４１の一方の脚柱端４０Ａ，４１Ａ（一方の第２脚柱端）に第２ステー間隔σ１０を隔てて配置される。第２横梁材４２は、図２、図８及び図１０に示すように、第３及び第４脚柱材４０，４１の間に配置される。第２横梁材４２は、第３及び第４脚柱材４０，４１の柱中心線ｅと直交して、第３及び第４脚柱材４０，４１の間に延在される。第２横梁材４２は、第３及び第４脚柱材４０，４１に固定される。
【００５３】
第２脚柱３８は、図２乃至図４、図８、図１０及び図１１に示すように、板厚さ方向Ｔにおいて、天板１の板裏面１Ｂとの間に枠体４を介在して配置される。第２脚柱３８は、板厚さ方向Ｔにおいて、枠体４に隣接して、枠体４の下方に配置される。
【００５４】
第３脚柱材４０は、図６及び図８に示すように、第１及び第２引出し体２，３（第１乃至第４案内レール１２，１３，１６，１７）に対し短手方向Ｓに隙間δ２を隔てて配置される。第３脚柱材４０は、板厚さ方向Ｔにおいて、天板１の板裏面１Ｂとの間に第１横枠材２１を介在して、第１横枠材２１の下方に配置される。第３脚柱材４０は、板厚さ方向Ｔにおいて、第１横枠材２１に隣接して並設される。
【００５５】
第４脚柱材４１は、図６及び図８に示すように、板厚さ方向Ｔにおいて、天板１の板裏面１Ｂとの間に第２横枠材２２を介在して、第２横枠材２２の下方に配置される。第４脚柱材４１は、板厚さ方向Ｔにおいて、第２横枠材２２に隣接して並設される。
【００５６】
第３及び第４脚柱材４０，４１は、図８、及び図１５乃至図１７に示すように、第２脚位置Ｐ４において、一方の脚柱端４０Ａ，４１Ａ側（一方の第２脚柱端側）を、枠体４の第１及び第２横枠材２１，２２に回転可能に軸支して配置される。第３脚柱材４０は、第１横枠材２１に回転可能に軸支され、第４脚柱材４１は、第２横枠材２２に回転可能に軸支される。
第３及び第４脚柱材４０，４１は、第１及び第２横枠材２１，２２を介在して、天板１に回転可能に軸支される。
第３及び第４脚柱材４０，４１は、短手方向Ｓを回転中心ＣＬとして、第１及び第２横枠材２１，２２に軸支される。
これにより、第３及び第４脚柱材４０，４１は、天板支持位置Ｑ１と、折畳み位置Ｑ２との間で回転される。
【００５７】
第２脚座３９は、図１乃至図４、図８及び図１０に示すように、第２脚柱３８の他方の第２脚柱端（第３及び第４脚柱材４０，４１の他方の脚柱端４０Ｂ，４１Ｂ）に配置される。第２脚座３９は、第２脚柱３８に固定される。第２脚座３９は、第３及び第４脚柱材４０，４１の他方の脚柱端４０Ｂ，４１Ｂに配置されて、第３及び第４脚柱材４０，４１に固定される。
【００５８】
第２脚座３９は、図１乃至図６、図８、図１０及び図１１に示すように、第２脚柱３８に直交して短手方向Ｓの一方の板端縁Ｓａ側に延在される。第２脚座３９は、第３及び第４脚柱材４０，４１に直交して短手方向Ｓの一方の板端縁Ｓａ側に延在される。第２脚座３９は、短手方向Ｓにおいて、例えば、第２脚柱３８（第３脚柱材４０）から短手方向Ｓの一方の板端縁Ｓａまで延在される。
【００５９】
第２脚体６は、図８に示すように、第２脚柱３８の柱中心線（第３及び第４脚柱材４０，４１の柱中心線ｅ）の方向において、第２脚柱３８（第３及び第４脚柱材４０，４１）の回転中心ＣＬ及び第２脚柱３８の他方の第２脚柱端（第３及び第４脚柱材４０，４１の他方の脚柱端４０Ｂ，４１Ｂ）の間の第２の部分脚長さＫ３を有し、第２の部分脚長さＫ３を第２引出し位置Ｐ２及び第２脚位置Ｐ４の間の第３間隔ε３より長くする。第２の部分脚長さＫ３は第１の部分脚長さＫ１と同一長さ（Ｋ３＝Ｋ１）である。第２脚体６は、図８に示すように、第２脚体の柱中心線の方向（第３及び第４脚柱材４０，４１の柱中心線ｅの方向）において、第２脚体の回転中心ＣＬ（第３及び第４脚柱材４０，４１の回転中心ＣＬ）及び第２脚座３９側の第２脚端６Ａの間の第２脚長さＫ４を有し、第２脚長さＫ４を第２間隔ε２より短くする。第２脚長さＫ４は、第１脚長さ計Ｋ１と同一長さである。
これにより、第２脚座３９は、第２脚柱３８の折畳み位置Ｑ２（第２脚柱３８を折畳み位置Ｑ２に配置した状態）において、第２引出し体３（第３案内レール１６）及び第１脚座３２に接触することなく、長手中心Ｌｘより長手方向Ｌの他方の板端縁Ｌｂ側に配置される。第２脚座３９は、第２引出し体３（第３案内レール１６）及び第１脚座３２に接触することなく、長手中心Ｌｘ及び第２引出し位置Ｐ２の間に配置される。
【００６０】
第１ステー装置７（第１ステー）は、図２乃至図７、及び図１２乃至図１４に示すように、枠体４（天板１の板裏面１Ｂ）及び第１脚体５の間に配置される。
第１ステー装置７は、第１脚体５の天板支持位置Ｑ１（第１及び第２脚柱材３３，３４を天板支持位置Ｑ１に配置した状態）において、枠体４の第１縦枠材２３及び第１脚体５の第１横梁材３５の間に配置される。第１ステー装置７は、第１及び第２横枠材２１，２２の間に配置され、第１及び第２脚柱材３３，３４の間に配置される。
【００６１】
第１ステー装置７は、図２、図４乃至図７、及び図１２乃至図１４に示すように、第１リンク部材４５、第２リンク部材４６、第１コイルバネ４７（第１付勢部材）及び第１ハンドル４８を備える。
【００６２】
第１リンク部材４５は、図１２乃至図１４に示すように、枠体４の第１及び第２横枠材２１，２２の間に配置される。第１リンク部材４５は、短手方向Ｓにおいて、第１及び第２横枠材２１，２２の間の中心に配置される。第１リンク部材４５は、図１２及び図１４に示すように、長手方向Ｌにおいて、第１縦枠材２３及び長手方向Ｌの一方の板端縁Ｌａの間に配置される。第１リンク部材４５は、一方のリンク端４５Ａ側を第１縦枠材２３に軸支して、枠体４（天板１）に回転可能に連結される。
第１リンク部材４５は、短手方向Ｓを回転中心αとして、第１縦枠材２３（枠体４、天板１）に回転可能に軸支される。
【００６３】
第２リンク部材４６は、図１２乃至図１４に示すように、第１及び第２脚柱材３３，３４の間に配置される。第２リンク部材４６は、短手方向Ｓにおいて、第１及び第２脚柱材３３，３４の中心に配置される。第２リンク部材４６は、図１２及び図１４に示すように、第１横梁材３５と、第１及び第２脚柱材３３，３４の一方の脚柱端３３Ａ，３４Ａの間に配置される。第２リンク部材４６は、一方の第２リンク端４６Ａ側を第１リンク部材４５の他方の第１リンク端４５Ｂ側に軸支し、及び他方の第２リンク端４６Ｂ側を第１横梁材３５に軸支して、第１横梁材３５（第１脚体５）及び第１リンク部材４５に回転可能に連結される。
第２リンク部材４６は、短手方向Ｓを回転中心β，γとして、第１横梁材３５（第１脚柱３１）及び第１リンク部材４５に回転可能に軸支される。
【００６４】
第１コイルバネ４７は、図２、図６、図１３及び図１４に示すように、第１及び第２リンク部材４５，４６の内部に配置される。第１コイルバネ４７は、第１リンク部材４５の他方の第１リンク端４５Ｂ側、及び第２リンク部材４６の一方の第２リンク端４６Ａ側の間にわって延在して配置される。第１コイルバネ４７は、一方の第１バネ端４７Ａ側を第１リンク部材４５に固定し、及び他方の第１バネ端４７Ｂ側を第２リンク部材４６に固定して、第１及び第２リンク部材４５，４６に配置される。
【００６５】
第１ハンドル４８は、図２、図５、図６、図７、図１２及び図１４に示すように、第１リンク部材４５に配置される。第１ハンドル４８は、短手方向Ｓにおいて、第１リンク部材４５から第１脚柱材３３側に突出される。第１ハンドル４８は、短手方向Ｓにおいて、第１脚柱材３３（第１脚柱３１）に接触することなく、第１リンク部材４５及び第１脚柱材３３の間に配置される。
【００６６】
第２ステー装置８（第２ステー）は、図１乃至図６、図８、及び図１５乃至図１７に示すように、枠体４（天板１の板裏面１Ｂ）及び第２脚体６の間に配置される。
第２ステー装置８は、第２脚体６の天板支持位置Ｑ１（第３及び第４脚柱材４０，４１を天板支持位置Ｑ１に配置した状態）において、枠体４の第２縦枠材２４及び第２脚体６の第２横梁材４２の間に配置される。第２ステー装置８は、第１及び第２横枠材２１，２２の間に配置され、第３及び第４脚柱材４０，４１の間に配置される。
【００６７】
第２ステー装置８は、図１、図２、図４乃至図６、図８、及び図１５乃至図１７に示すように、第１ステー装置７と同一構成、部材を有し、第３リンク部材５５、第４リンク部材５６、第２コイルバネ５７（第２付勢部材）及び第２ハンドル５８を備える。
【００６８】
第３リンク部材５５は、図１５乃至図１７示すように。第１リンク部材４５と同一部材（同一構成）であって、枠体４の第１及び第２横枠材２１，２２の間に配置される。第３リンク部材５５は、短手方向Ｓにおいて、第１及び第２横枠材２１，２２の間の中心に配置される。第３リンク部材５５は、図１５及び図１７に示すように、長手方向Ｌにおいて、第２縦枠材２４及び長手方向Ｌの他方の板端縁Ｌｂの間に配置される。第３リンク部材５５は、一方の第３リンク端５５Ａ側を第２縦枠材３４に軸支して、枠体４（天板１）に回転可能に連結される。第３リンク部材５５は、短手方向Ｓを回転中心ｆとして、第２縦枠材２４（枠体４、天板１）に回転可能に軸支される。
【００６９】
第４リンク部材５６は、図１５に示すように、第２リンク部材４６と同一部材（同一構成）であって、第３及び第４脚柱材４０，４１の間に配置される。第４リンク部材５６は、短手方向Ｓにおいて、第３及び第４脚柱材４０，４１の間に中心に配置される。第４リンク部材５６は、図１５及び図１７に示すように、第２横梁材４２と、第３及び第４脚柱材４０，４１の一方の脚柱端４０Ａ，４１Ａの間に配置される。
第４リンク部材５６は、図１５乃至図１７に示すように、一方の第４リンク端５６Ａ側を第３リンク部材５５の他方の第３リンク端５５Ｂ側に軸支し、及び他方の第４リンク端５６Ｂ側を第２横梁材４２に軸支して、第２横梁材４２（第２脚体６）及び第３リンク部材５５に回転可能に連結される。
第４リンク部材５６は、短手方向Ｓを回転中心ｍ，ｎとして、第２横梁材４２（第２脚柱３８）及び第３リンク部材５５に回転可能に軸支される。
【００７０】
第２コイルバネ５７は、図２、図６、図１６及び図１７に示すように、第１コイルバネ４７と同一部材（同一構成）であって、第３及び第４リンク部材５５，５６の内部に配置される。第２コイルバネ５７は、第３リンク部材５５の他方の第３リンク端５５Ｂ側、及び第４リンク部材５６の一方の第４リンク端５６Ａ側の間にわたって延在して配置される。第２コイルバネ５７は、一方の第２バネ端５７Ａ側を第３リンク部材５５に固定し、及び他方の第２バネ端５７Ｂ側を第４リンク部材５６に固定して、第３及び第４リンク部材５５，５６に配置される。
【００７１】
第２ハンドル５８は、図５、図６、図８及び図１６に示すように、第３リンク部材５５に配置される。第２ハンドル５８は、短手方向Ｓにおいて、第３リンク部材５５から第４脚柱材４１側に突出される。第２ハンドル５８は、短手方向Ｓにおいて、第４脚柱材４１（第２脚柱３８）に接触することなく、第３リンク部材５５及び第４脚柱材４１の間に配置される。
【００７２】
第１ステー装置７において、第１及び第２リンク部材４５，４６は、図１２乃至図１４に示すように、第１脚柱３１の天板支持位置Ｑ１（第１脚柱３１を天板支持位置Ｑ１に配置した状態）において、第１リンク部材４５の他方の第１リンク端４５Ｂ、及び第２リンク部材４６の一方の第２リンク端４６Ａを突き合わせて、第１縦枠材２３及び第１横梁材３５の間で傾斜しつつ直線状に配置される。
第１ステー装置７において、第１コイルバネ４７は、図１３及び図１４に示すように、第１脚柱３１の天板支持位置Ｑ１において、バネ力（付勢力）によって第１及び第２リンク部材４５，４６を直線状に維持する。
【００７３】
第２ステー装置８において、第３及び第４リンク部材５５，５６は、図１５乃至図１７に示すように、第２脚柱３８の天板支持位置Ｑ１（第２脚柱３８を天板支持位置Ｑ１に配置した状態）において、第３リンク部材５５の他方の第３リンク端５５Ｂ、及び第４リンク部材５６の一方の第４リンク端５６Ａを突き合わせて、第２縦枠材２４及び第２横梁材４２の間で傾斜しつつ直線状に配置される。
第２ステー装置８において、第２コイルバネ５７は、図１６及び図１７に示すように、第２脚柱３８の天板支持位置Ｑ１において、バネ力ネ力（付勢力）によって第３及び第４リンク部材５５，５６を直線状に維持する。
【００７４】
折畳み机Ｘは、図１乃至図２２に示すように、第１及び第２脚柱３１，３８の天板支持位置Ｑ１から、第１及び第２脚体５，６を天板１の板裏面１Ｂ側に回転することで、第１及び第２脚体５，６を天板１の板裏面１Ｂ側（枠体４側）に折畳む。
これにより、第１及び第２脚柱３１，３８は、図１８乃至図２２に示すように、天板支持位置Ｑ１から折畳み位置Ｑ２に回転して配置される。
第１及び第２脚柱３１，３８は、図１９に示すように、折畳み位置Ｑ２において、第１及び第２引出し体２，３に接触することなく、短手方向Ｓにおいて、第１及び第２引出し体２，３と、短手方向Ｓの他方の板端縁Ｓｂの間に配置される。
【００７５】
第１脚柱３１は、図１８乃至図２１に示すように、折畳み位置Ｑ２において、第１脚柱材３３を第１横枠材２１に重ねて配置し、及び第２脚柱材３４を第２横枠材２２に重ねて配置する。
第２脚柱３８は、図１８乃至図２１に示すように、折畳み位置Ｑ２において、第３脚柱材４０を第１横枠材２１に重ねて配置し、及び第４脚柱材４１を第２横枠材２２に重ねて配置する。
【００７６】
第１脚座３２は、図１８乃至図２１に示すように、第１脚柱３１の折畳み位置Ｑ２において、長手中心Ｌｘ及び第１引出し位置Ｐ１の間に配置される。
第２脚座３９は、図１８乃至図２１に示すように、第２脚柱３８の折畳み位置Ｑ２において、第１脚座３２に接触することなく、長手中心Ｌｘから長手方向Ｌの他方の板端縁Ｌｂ側であって、長手中心Ｌｘ及び第２引出し位置Ｐ２の間に配置される。
【００７７】
第１ステー装置７において、第１及び第２リンク部材４５，４６は、図２２（a）に示すように、第１脚柱３１の折畳み位置Ｑ２において、第１コイルバネ４７のバネ力に抗して屈曲される。
第１ステー装置７において、第１コイルバネ４７は、図２２（ａ）に示すように、第１及び第２リンク部材４５，４６の屈曲に伴って、第１及び第２リンク部材４５，４６を屈曲するバネ力（付勢力）に変わって、第１及び第２リンク部材４５，４６の屈曲状態を維持する。
【００７８】
第２ステー装置８において、第３及び第４リンク部材５５，５６は、図２２（ｂ）に示すように、第２脚柱３８の折畳み位置Ｑ２において、第２コイルバネのバネ力に抗して屈曲される。
第２ステー装置８において、第２コイルバネ５７は、図２２（ｂ）に示すように、第３及び第４リンク部材５５，５６の屈曲に伴って、第３及び第４リンク部材５５，５６を屈曲するバネ力（付勢力）に変わって、第３及び第４リンク部材５５，５６の屈曲状態を維持する。
【００７９】
このように、折畳み机Ｘは、図１８乃至図２１に示すように、第１及び第２脚柱３１，３８を天板支持位置Ｑ１から折畳み位置Ｑ２に配置しても、第１及び第２脚柱３１，３８と、第１及び第２脚座３２，３９を第１及び第２引出し体２，３に接触することなく、天板１の板裏面１Ｂ（枠体４）に折畳むことができる。
【００８０】
折畳み机Ｘは、図１乃至図２１に示すように、第１及び第２脚柱３１，３８（第１及び第２脚体５，６）を回転することで、第１及び第２脚柱３１，３８（第１及び第２脚体５，６）を折畳み位置Ｑ１から天板支持位置Ｑ２に配置する。
また、第１及び第２ステー装置７，８の第１及び第２ハンドル４８，５８を掴んで、第１及び第２脚柱３１，３８を回転することで、第１及び第２脚柱３１，３８（第１及び第脚体５，６）を折畳み位置Ｑ２から天板支持位置Ｑ１に配置できる。
【産業上の利用可能性】
【００８１】
本考案は、引出し体（引出し）を備える折畳み机に最適である。
【符号の説明】
【００８２】
Ｘ  折畳み机
１  天板
１Ａ  板表面（板表平面）
１Ｂ  板裏面（板裏平面）
２  第１引出し体（引出し体）
３  第２引出し体（引出し体）
５  第１脚体
６  第２脚体
１４  第１引出し（引出し）
１８  第２引出し（引出し）
３１  第１脚柱
３２  第１脚座
３８  第２脚柱
３９  第２脚座
Ｑ１  天板支持位置
Ｑ２  折畳み位置
【図１】
0003234025.tif 000003
【図２】
0003234025.tif 000004
【図３】
0003234025.tif 000005
【図４】
0003234025.tif 000006
【図５】
0003234025.tif 000007
【図６】
0003234025.tif 000008
【図７】
0003234025.tif 000009
【図８】
0003234025.tif 000010
【図９】
0003234025.tif 000011
【図１０】
0003234025.tif 000012
【図１１】
0003234025.tif 000013
【図１２】
0003234025.tif 000014
【図１３】
0003234025.tif 000015
【図１４】
0003234025.tif 000016
【図１５】
0003234025.tif 000017
【図１６】
0003234025.tif 000018
【図１７】
0003234025.tif 000019
【図１８】
0003234025.tif 000020
【図１９】
0003234025.tif 000021
【図２０】
0003234025.tif 000022
【図２１】
0003234025.tif 000023
【図２２】
0003234025.tif 000024